(57)【特許請求の範囲】
【請求項１】
相異なる太陽光発電グリッドに接続された複数のパワーコンディショナの運転制御を行う運転制御装置であって、
前記太陽光発電グリッドの合計出力電力が、電力会社から要求される合計出力電力である抑制出力電力を超えない範囲で、買取価格の高い太陽光発電グリッドに接続されたパワーコンディショナから順に運転させることを特徴とするパワーコンディショナの運転制御装置。
【請求項２】
相異なる太陽光発電グリッドに接続された複数のパワーコンディショナの運転制御を行う運転制御装置であって、
出力抑制割合を取得し、前記複数のパワーコンディショナの定格出力の合計値と前記出力抑制割合とに基づいて抑制出力電力を算出する算出部と、
前記複数のパワーコンディショナごとに、パワーコンディショナの識別情報と、当該パワーコンディショナに接続された太陽光発電グリッドの買取価格とを対応付けて格納する第１のテーブルを参照し、買取価格の高い順に前記第１のテーブルのレコードを並べ替えて第２のテーブルを作成するソート部と、
前記第２のテーブルからソート順にレコードを選択する選択部と、
前記選択されたレコードに含まれる識別情報が示すパワーコンディショナである対象パワーコンディショナに運転指令を送信する運転指令部と、
を有することを特徴とするパワーコンディショナの運転制御装置。
【請求項３】
前記運転指令部は、運転指令を送信済みのパワーコンディショナの出力電力の合計に前記対象パワーコンディショナの定格出力を加算した値が前記抑制出力電力を超えない場合、前記対象パワーコンディショナに定格出力で運転するように指示する定格運転指令を送信し、そうでない場合、前記対象パワーコンディショナに定格出力より小さい出力で運転するように指示する抑制運転指令を送信することを特徴とする請求項２に記載のパワーコンディショナの運転制御装置。
【請求項４】
前記抑制運転指令は、式（１）により求まる出力割合（Ｘ）で運転するように前記対象パワーコンディショナに指示するための指令であることを特徴とする請求項３に記載のパワーコンディショナの運転制御装置。
Ｘ＝（Ｐ１−Ｐ２）／Ｐ０×１００  ［％］  ・・・・（１）
ここで、Ｘは前記対象パワーコンディショナの出力割合、Ｐ１は前記抑制出力電力、Ｐ２は運転指令を送信済みのパワーコンディショナの出力電力の合計、Ｐ０は前記対象パワーコンディショナの定格出力である。
【請求項５】
前記対象パワーコンディショナが正常状態であるか否かを判定する状態判定部をさらに備え、
前記運転指令部は、前記対象パワーコンディショナが前記状態判定部により正常状態であると判定された場合、前記対象パワーコンディショナに前記運転指令を送信し、前記対象パワーコンディショナが前記状態判定部により正常状態でないと判定された場合、前記対象パワーコンディショナに停止するように指示する停止指令を送信することを特徴とする請求項２〜４のいずれかに記載のパワーコンディショナの運転制御装置。
【請求項６】
相異なる太陽光発電グリッドに接続された複数のパワーコンディショナの運転制御方法であって、
出力抑制割合を取得し、前記複数のパワーコンディショナの定格出力の合計値と前記出力抑制割合とに基づいて抑制出力電力を算出するステップと、
前記複数のパワーコンディショナごとに、パワーコンディショナの識別情報と、当該パワーコンディショナに接続された太陽光発電グリッドの買取価格とを対応付けて格納する第１のテーブルを参照し、買取価格の高い順に前記第１のテーブルのレコードを並べ替えて第２のテーブルを作成するステップと、
前記第２のテーブルからソート順にレコードを選択するステップと、
前記選択されたレコードに含まれる識別情報が示すパワーコンディショナである対象パワーコンディショナに運転指令を送信するステップと、
を備えることを特徴とする運転制御方法。
【請求項７】
相異なる太陽光発電グリッドに接続された複数のパワーコンディショナの運転制御を行うための運転制御プログラムであって、
コンピュータを、
前記太陽光発電グリッドの合計出力電力が、電力会社から要求される合計出力電力である抑制出力電力を超えない範囲で、買取価格の高い太陽光発電グリッドに接続されたパワーコンディショナから順に運転させる手段として機能させるための運転制御プログラム。
【請求項８】
相異なる太陽光発電グリッドに接続された複数のパワーコンディショナの運転制御を行うための運転制御プログラムであって、
コンピュータを、
出力抑制割合を取得し、前記複数のパワーコンディショナの定格出力の合計値と前記出力抑制割合とに基づいて抑制出力電力を算出する算出手段、
前記複数のパワーコンディショナごとに、パワーコンディショナの識別情報と、当該パワーコンディショナに接続された太陽光発電グリッドの買取価格とを対応付けて格納する第１のテーブルを参照し、買取価格の高い順に前記第１のテーブルのレコードを並べ替えて第２のテーブルを作成するソート手段、
前記第２のテーブルからソート順にレコードを選択する選択手段、および
前記選択されたレコードに含まれる識別情報が示すパワーコンディショナである対象パワーコンディショナに運転指令を送信する運転指令手段
として機能させるための運転制御プログラム。
【発明の詳細な説明】
【技術分野】
【０００１】
本発明は、パワーコンディショナの運転制御装置、運転制御方法、および運転制御プログラムに関する。
【背景技術】
【０００２】
近年、太陽光発電により発電された電力を電気事業者に売電することが行われている。  具体的には、太陽光発電パネルを有する太陽光発電グリッドがパワーコンディショナに直流電力を出力する。そして、パワーコンディショナが直流電力を交流電力に変換し、得られた交流電力を電力系統（以下、単に「系統」ともいう。）に供給する。
【０００３】
太陽光発電の発電量が多いときには、系統に供給される電力が電気事業者の接続可能量を超える可能性がある。このような事態を回避するために、電力需要が少ない時期には太陽光発電の出力を抑制することが求められる。出力の抑制は、出力抑制機能を有するパワーコンディショナによって行われる。
【０００４】
また、複数のパワーコンディショナの出力抑制制御は、運転制御装置により行われる（例えば特許文献１参照）。
【先行技術文献】
【特許文献】
【０００５】
【特許文献１】特開２０１１−１３０６３８号公報
【発明の概要】
【発明が解決しようとする課題】
【０００６】
ところで、太陽光発電により発電された電力の固定価格買取制度が２０１２年に導入されたが、買取価格は毎年改訂されている。具体的には、産業用で容量１０ｋＷ以上の場合、２０１２年の導入分の買取価格は４０円／ｋＷｈであるが、その後、３６円／ｋＷｈ（２０１３年）、３２円／ｋＷｈ（２０１４年）、２９円／ｋＷｈ（２０１５年）と毎年引き下げられている。このため、同じ発電量であっても、太陽光発電グリッドの導入（認定）時期によって売電額が異なることになる。
【０００７】
しかしながら、従来、運転制御装置が買取価格の異なる太陽光発電グリッドに接続された複数のパワーコンディショナの出力制御を行う場合において、各太陽光発電グリッドの買取価格は考慮されていなかった。
【０００８】
そこで、本発明は、複数の太陽光発電グリッドの売電額の合計ができるだけ多くなるようにパワーコンディショナの運転制御を行うことが可能な運転制御装置、運転制御方法および運転制御プログラムを提供することを目的とする。
【課題を解決するための手段】
【０００９】
本発明に係るパワーコンディショナの運転制御装置は、
相異なる太陽光発電グリッドに接続された複数のパワーコンディショナの運転制御を行う運転制御装置であって、
前記太陽光発電グリッドの合計出力電力が、電力会社から要求される合計出力電力である抑制出力電力を超えない範囲で、買取価格の高い太陽光発電グリッドに接続されたパワーコンディショナから順に運転させることを特徴とする。
【００１０】
本発明に係るパワーコンディショナの運転制御装置は、
相異なる太陽光発電グリッドに接続された複数のパワーコンディショナの運転制御を行う運転制御装置であって、
出力抑制割合を取得し、前記複数のパワーコンディショナの定格出力の合計値と前記出力抑制割合とに基づいて抑制出力電力を算出する算出部と、
前記複数のパワーコンディショナごとに、パワーコンディショナの識別情報と、当該パワーコンディショナに接続された太陽光発電グリッドの買取価格とを対応付けて格納する第１のテーブルを参照し、買取価格の高い順に前記第１のテーブルのレコードを並べ替えて第２のテーブルを作成するソート部と、
前記第２のテーブルからソート順にレコードを選択する選択部と、
前記選択されたレコードに含まれる識別情報が示すパワーコンディショナである対象パワーコンディショナに運転指令を送信する運転指令部と、
を有することを特徴とする。
【００１１】
また、前記運転制御装置において、
前記運転指令部は、運転指令を送信済みのパワーコンディショナの出力電力の合計に前記対象パワーコンディショナの定格出力を加算した値が前記抑制出力電力を超えない場合、前記対象パワーコンディショナに定格出力で運転するように指示する定格運転指令を送信し、そうでない場合、前記対象パワーコンディショナに定格出力より小さい出力で運転するように指示する抑制運転指令を送信するようにしてもよい。
【００１２】
また、前記運転制御装置において、
前記抑制運転指令は、式（１）により求まる出力割合（Ｘ）で運転するように前記対象パワーコンディショナに指示するための指令であるようにしてもよい。
Ｘ＝（Ｐ１−Ｐ２）／Ｐ０×１００  ［％］  ・・・・（１）
ここで、Ｘは前記対象パワーコンディショナの出力割合、Ｐ１は前記抑制出力電力、Ｐ２は運転指令を送信済みのパワーコンディショナの出力電力の合計、Ｐ０は前記対象パワーコンディショナの定格出力である。
【００１３】
また、前記運転制御装置において、
前記対象パワーコンディショナが正常状態であるか否かを判定する状態判定部をさらに備え、
前記運転指令部は、前記対象パワーコンディショナが前記状態判定部により正常状態であると判定された場合、前記対象パワーコンディショナに前記運転指令を送信し、前記対象パワーコンディショナが前記状態判定部により正常状態でないと判定された場合、前記対象パワーコンディショナに停止するように指示する停止指令を送信するようにしてもよい。
【００１４】
本発明に係るパワーコンディショナの運転制御方法は、
相異なる太陽光発電グリッドに接続された複数のパワーコンディショナの運転制御方法であって、
出力抑制割合を取得し、前記複数のパワーコンディショナの定格出力の合計値と前記出力抑制割合とに基づいて抑制出力電力を算出するステップと、
前記複数のパワーコンディショナごとに、パワーコンディショナの識別情報と、当該パワーコンディショナに接続された太陽光発電グリッドの買取価格とを対応付けて格納する第１のテーブルを参照し、買取価格の高い順に前記第１のテーブルのレコードを並べ替えて第２のテーブルを作成するステップと、
前記第２のテーブルからソート順にレコードを選択するステップと、
前記選択されたレコードに含まれる識別情報が示すパワーコンディショナである対象パワーコンディショナに運転指令を送信するステップと、
を備えることを特徴とする。
【００１５】
本発明に係る運転制御プログラムは、
相異なる太陽光発電グリッドに接続された複数のパワーコンディショナの運転制御を行うための運転制御プログラムであって、
コンピュータを、
前記太陽光発電グリッドの合計出力電力が、電力会社から要求される合計出力電力である抑制出力電力を超えない範囲で、買取価格の高い太陽光発電グリッドに接続されたパワーコンディショナから順に運転させる手段として機能させるための運転制御プログラムである。
【００１６】
本発明に係る運転制御プログラムは、
相異なる太陽光発電グリッドに接続された複数のパワーコンディショナの運転制御を行うための運転制御プログラムであって、
コンピュータを、
出力抑制割合を取得し、前記複数のパワーコンディショナの定格出力の合計値と前記出力抑制割合とに基づいて抑制出力電力を算出する算出手段、
前記複数のパワーコンディショナごとに、パワーコンディショナの識別情報と、当該パワーコンディショナに接続された太陽光発電グリッドの買取価格とを対応付けて格納する第１のテーブルを参照し、買取価格の高い順に前記第１のテーブルのレコードを並べ替えて第２のテーブルを作成するソート手段、
前記第２のテーブルからソート順にレコードを選択する選択手段、および
前記選択されたレコードに含まれる識別情報が示すパワーコンディショナである対象パワーコンディショナに運転指令を送信する運転指令手段
として機能させるための運転制御プログラムである。
【発明の効果】
【００１７】
本発明によれば、複数の太陽光発電グリッドの売電額の合計ができるだけ多くなるようにパワーコンディショナの運転制御を行うことができる。
【図面の簡単な説明】
【００１８】
【図１】本発明の実施形態に係る太陽光発電システムの概略的構成を示す図である。
【図２】複数の太陽光発電グリッドの例として、造成時期の異なる隣接した土地に設けられた太陽光発電グリッドＧ１〜Ｇ４を示す図である。
【図３】複数の太陽光発電グリッドの別の例として、マイクログリッドＭ１〜Ｍ４内の太陽光発電グリッドＧ１〜Ｇ４を示す図である。
【図４】本発明の実施形態に係る運転制御装置１０の機能ブロック図である。
【図５】（ａ）はソート前のテーブル（第１のテーブル）の一例を示す図であり、（ｂ）は第１のテーブルをソートした後のテーブル（第２のテーブル）を示す図である。
【図６】実施形態に係るパワーコンディショナの運転制御方法を説明するためのフローチャートである。
【図７】各パワーコンディショナＰＣ１〜ＰＣ４の出力指令値が書き込まれたテーブルの一例を示す図である。
【発明を実施するための形態】
【００１９】
以下、図面を参照しつつ本発明の実施形態について説明する。
【００２０】
実施形態に係る太陽光発電システムは、図１に示すように、複数の太陽光発電グリッドＧ１，Ｇ２，Ｇ３，Ｇ４と、パワーコンディショナＰＣ１，ＰＣ２，ＰＣ３，ＰＣ４と、運転制御装置１０と、を備えている。なお、太陽光発電グリッドおよびパワーコンディショナの数は図１に示す数（４つ）に限られるものではない。
【００２１】
太陽光発電グリッドＧ１〜Ｇ４は、各々、太陽光発電パネルを有している。太陽光発電グリッドＧ１〜Ｇ４は、例えば、図２に示すように、造成時期の異なる土地に隣接配置されている。ここでは、太陽光発電グリッドＧ１，Ｇ３は買取価格が２９円／ｋＷｈのときに系統連携を開始し、太陽光発電グリッドＧ２は買取価格が４０円／ｋＷｈのときに系統連携を開始し、太陽光発電グリッドＧ４は買取価格が３２円／ｋＷｈのときに系統連携を開始したものである。
【００２２】
太陽光発電グリッドＧ１〜Ｇ４は、図３に示すように、マイクログリッドＭ１〜Ｍ４内に設けられたものであってもよい。なお、マイクログリッドは、エネルギー供給源と電力消費施設を含むエネルギーネットワークであり、例えば市町村単位で構成される。マイクログリッドは、太陽光発電の他に、バイオマス発電や風力発電等のエネルギー供給源を有してもよい。
【００２３】
パワーコンディショナＰＣ１〜ＰＣ４は、相異なる太陽光発電グリッドＧ１〜Ｇ４に接続されている。すなわち、パワーコンディショナＰＣ１は、太陽光発電グリッドＧ１に接続されており、太陽光発電グリッドＧ１から供給される直流電力を交流電力に変換して電力系統（図示せず）に出力する。同様に、パワーコンディショナＰＣ２〜ＰＣ４は、太陽光発電グリッドＧ２〜Ｇ４にそれぞれ接続されており、接続先の太陽光発電グリッドから供給される直流電力を交流電力に変換して電力系統（図示せず）に出力する。
【００２４】
運転制御装置１０は、有線または無線により複数のパワーコンディショナＰＣ１〜ＰＣ４に通信可能に接続され、パワーコンディショナＰＣ１〜ＰＣ４の運転制御を行う。なお、運転制御装置１０は、インターネット等の通信ネットワークを介してパワーコンディショナＰＣ１〜ＰＣ４に接続されてもよい。
【００２５】
運転制御装置１０は、太陽光発電グリッドＧ１〜Ｇ４の出力電力の合計（以下、単に「合計出力電力」ともいう。）が、抑制出力電力を超えない範囲で、買取価格の高い太陽光発電グリッドに接続されたパワーコンディショナから順に運転させるように構成されている。ここで、「抑制出力電力」とは、電力会社から要求される合計出力電力である。すなわち、運転制御装置１０は、太陽光発電グリッドＧ１〜Ｇ４の出力電力の合計が抑制出力電力を超えないようにパワーコンディショナＰＣ１〜ＰＣ４の運転制御を行う。
【００２６】
次に、図４の機能ブロック図を参照して、運転制御装置１０について詳しく説明する。
【００２７】
図４に示すように、運転制御装置１０は、制御部１６と、通信部２１と、記憶部２２とを有している。
【００２８】
制御部１６は、算出部１１と、ソート部１２と、選択部１３と、運転指令部１４と、状態判定部１５とを有している。各構成要素の詳細については後述する。なお、制御部１６は、ハードウェアで構成されてもよいし、あるいは、ソフトウェア（パワーコンディショナの運転制御プログラム）で構成されてもよい。
【００２９】
通信部２１は、接続先のパワーコンディショナや電力会社等のサーバ（図示せず）との間で情報を送受信するように構成されている。この通信部２１は、パワーコンディショナとの間で通信を行う第１通信部（図示せず）と、サーバとの間で通信を行う第２通信部（図示せず）とを有する。なお、一つの通信部（通信モジュール）がパワーコンディショナおよびサーバの両方と通信を行ってもよい。
【００３０】
記憶部２２は、パワーコンディショナから取得したモニタリング情報や、サーバから取得した情報（出力抑制割合、出力制御スケジュール等）を記憶する。なお、記憶部２２には、運転制御装置１０が動作するためのプログラム（運転制御プログラム）が格納されてもよい。記憶部２２は、ハードディスクや半導体メモリ等により構成される。
【００３１】
また、記憶部２２は、太陽光発電グリッドＧ１〜Ｇ４の買取価格を格納したテーブル（第１のテーブル）を記憶する。このテーブルは、図５（ａ）に示すように、複数のパワーコンディショナＰＣ１〜ＰＣ４ごとに、パワーコンディショナの識別情報と、当該パワーコンディショナに接続された太陽光発電グリッドの買取価格とを対応付けて格納している。図５（ａ）の例では、パワーコンディショナＰＣ１〜ＰＣ４の識別情報はそれぞれＰＣＳ０１〜ＰＣＳ０４である。
【００３２】
なお、図５（ａ）に示すように、テーブルに、各パワーコンディショナの状態（ＰＣＳの状態）、出力指令値（％）を示すカラムを設けてもよい。また、各パワーコンディショナの定格出力が異なる場合には、定格出力（ｋＷ）のカラムを設けてもよい。
【００３３】
制御部１６の各構成要素について以下に説明する。
【００３４】
算出部１１は、出力抑制割合を取得する。この出力抑制割合は、記憶部２２に記憶された出力制御スケジュールから取得してもよいし、あるいは、通信部２１を介して電力会社等のサーバから取得してもよい。そして、算出部１１は、複数のパワーコンディショナＰＣ１〜ＰＣ４の定格出力の合計値と出力抑制割合とに基づいて抑制出力電力を算出する。抑制出力電力は、合計出力電力の抑制値であり、定格出力の合計に出力抑制割合を乗じることにより算出する。例えば、パワーコンディショナＰＣ１〜ＰＣ４の定格出力の合計が３００ｋＷであり、出力抑制割合が５０％の場合、抑制出力電力は１５０ｋＷとなる。
【００３５】
ソート部１２は、前述の第１のテーブルを参照し、買取価格の高い順に第１のテーブルのレコードを並べ替えて第２のテーブルを作成する。図５（ｂ）は、第１のテーブルをソートして得られた第２のテーブルを示している。図５（ｂ）に示すように、ソート部１２によるソートの結果、買取価格が最も高いパワーコンディショナＰＣ２のレコードが最上位に位置し、次に買取価格の高いパワーコンディショナＰＣ４のレコードがそれに続き、最も買取価格の低いパワーコンディショナＰＣ１，ＰＣ３のレコードが再下位に位置している。
【００３６】
選択部１３は、第２のテーブルからソート順にレコードを選択する。すなわち、選択部１３は、第２のテーブルの上位のレコードから順に選択する。図５（ｂ）の例の場合、選択部１３は、まずパワーコンディショナＰＣ２のレコードを選択し、次にパワーコンディショナＰＣ４のレコードを選択する。その後、パワーコンディショナＰＣ１、パワーコンディショナＰＣ３の順にレコードを選択する。
【００３７】
運転指令部１４は、選択部１３により選択されたパワーコンディショナである対象パワーコンディショナに運転指令を送信する。より正確に言えば、「対象パワーコンディショナ」は、選択部１３により選択されたレコードに含まれる識別情報が示すパワーコンディショナのことである。図５（ｂ）の例の場合、最初の対象パワーコンディショナはパワーコンディショナＰＣ２であり、その次の対象パワーコンディショナはパワーコンディショナＰＣ４である。
【００３８】
運転指令部１４は、運転指令を送信済みのパワーコンディショナの出力電力の合計に対象パワーコンディショナの定格出力を加算した値（以下、「暫定合計出力電力」ともいう。）が抑制出力電力を超えない場合、対象パワーコンディショナに定格出力で運転するように指示する定格運転指令（すなわち１００％出力指令）を送信する。一方、暫定合計出力電力が抑制出力電力を超える場合、対象パワーコンディショナに定格出力より小さい出力で運転するように指示する抑制運転指令を送信する。例えば、抑制運転指令として、運転指令部１４は５０％出力指令を送信する。
【００３９】
抑制運転指令は、例えば、式（１）により求まる出力割合（Ｘ）で運転するように対象パワーコンディショナに指示するための指令である。
Ｘ＝（Ｐ１−Ｐ２）／Ｐ０×１００  ［％］  ・・・・（１）
ここで、Ｘは対象パワーコンディショナの出力割合、Ｐ１は抑制出力電力、Ｐ２は運転指令を送信済みのパワーコンディショナの出力電力の合計、Ｐ０は対象パワーコンディショナの定格出力である。
【００４０】
例えば、パワーコンディショナＰＣ１〜ＰＣ４の定格出力が５０ｋＷであり、算出部１１により算出された抑制出力電力が１２５ｋＷであり、パワーコンディショナＰＣ２とＰＣ４に定格運転指令を送信済みの場合を考える。この場合、次の対象パワーコンディショナであるパワーコンディショナＰＣ１には、式（１）により、定格出力の５０％で運転するように指示する指令（５０％出力指令）を送信することになる。
【００４１】
状態判定部１５は、運転指令を送信する前に、対象パワーコンディショナが正常状態であるか否かを判定する。ここで、正常状態とは、受信した運転指令の通りに運転可能な状態をいう。状態判定部１５は、例えば、対象パワーコンディショナから取得したモニタリング情報や、テーブルのカラム“ＰＣＳの状態”を参照して対象パワーコンディショナの状態を判定する。なお、パワーコンディショナの状態は、正常状態、故障状態のほかに、メンテナンス中などの他の状態を含めてもよい。
【００４２】
運転指令部１４は、対象パワーコンディショナが状態判定部１５により正常状態であると判定された場合、対象パワーコンディショナに運転指令（定格運転指令または抑制運転指令）を送信する。一方、対象パワーコンディショナが状態判定部１５により正常状態でないと判定された場合、運転指令部１４は、対象パワーコンディショナに停止するように指示する停止指令（すなわち０％出力指令）を送信する。
【００４３】
上記のように、本実施形態に係る運転制御装置１０は、第１のテーブルのレコードを買取価格の高い順にソートし、合計出力電力が抑制出力電力を超えない範囲でソート順に運転指令を送信する。よって、本実施形態によれば、太陽光発電グリッドＧ１〜Ｇ４の売電額の合計ができるだけ多くなるようにパワーコンディショナの運転制御を行うことができる。
【００４４】
次に、図６のフローチャートを参照して、実施形態に係るパワーコンディショナの運転制御方法について説明する。
【００４５】
まず、算出部１１が、出力抑制割合を取得し、複数のパワーコンディショナＰＣ１〜ＰＣ４の定格出力の合計値と、取得した出力抑制割合とに基づいて、抑制出力電力を算出する（ステップＳ１）。
【００４６】
次に、ソート部１２が、第１のテーブルを参照し、買取価格の高い順に第１のテーブルのレコードを並べ替えて第２のテーブルを作成する（ステップＳ２）。
【００４７】
次に、選択部１３が、第２のテーブルからソート順にレコードを選択する（ステップＳ３）。
【００４８】
次に、状態判定部１５が、対象パワーコンディショナが正常状態であるか否かを判定する（ステップＳ４）。対象パワーコンディショナが正常である場合（Ｓ４：Ｙｅｓ）、ステップＳ５に進む。一方、対象パワーコンディショナが異常である場合は（Ｓ４：Ｎｏ）、ステップＳ３に戻り、第２のテーブルから次の順位のレコードが選択される。なお、ステップＳ３に戻る前に、運転指令部１４は、対象パワーコンディショナに停止指令を送信してもよい。
【００４９】
次に、運転指令部１４が、運転指令を送信済みパワーコンディショナの出力電力の合計に対象パワーコンディショナの定格出力を加算した値（暫定合計出力電力）が抑制出力電力を超えないか否かを判定する（ステップＳ５）。暫定合計出力電力が抑制出力電力を超えない場合（Ｓ５：Ｙｅｓ）、ステップＳ６に進む。一方、暫定合計出力電力が抑制出力電力を超える場合は（Ｓ５：Ｎｏ）、ステップＳ７に進む。
【００５０】
そして、暫定合計出力電力が抑制出力電力を超えないと判定された場合、運転指令部１４は対象パワーコンディショナに定格運転指令を送信する（ステップＳ６）。一方、暫定合計出力電力が抑制出力電力を超えると判定された場合は、対象パワーコンディショナに抑制運転指令を送信する（ステップＳ７）。
【００５１】
なお、ステップＳ７は省略することも可能であるが、ステップＳ７を行うことにより、太陽光発電グリッドＧ１〜Ｇ４の合計出力電力を抑制出力電力により近づけることができる。
【００５２】
また、運転指令部１４は、対象パワーコンディショナに運転指令を送信する際に、図７に示すように、テーブルに出力指令値を書き込むようにしてもよい。この例では、定格運転指令を送信したパワーコンディショナＰＣ２，ＰＣ４のレコードに“１００（％）”が書き込まれ、抑制運転指令を送信したパワーコンディショナＰＣ１のレコードに“５０（％）”が書き込まれている。このようにテーブルに出力指令値を記録しておくことで、管理者はテーブルを参照することで各パワーコンディショナの運転状況を容易に把握することができる。
【００５３】
また、ステップＳ４において対象パワーコンディショナが正常であることを確認することで、使用できないパワーコンディショナに運転指令を送ることがなくなり、合計出力電力をより確実に制御することができる。
【００５４】
なお、上記の実施形態では、パワーコンディショナＰＣ１〜ＰＣ４に運転指令を送信する前にテーブルのレコードを並び替えたが、本発明はこれに限るものではない。すなわち、運転指令を送信するパワーコンディショナを選択する都度、テーブルのレコードをサーチして買取価格の高い太陽光発電グリッドを見つけるようにしてもよい。具体的には、まず、買取価格が最も高いレコードをサーチして該当するパワーコンディショナに運転指令を送信し、次に、買取価格が２番目に高いレコードをサーチして該当するパワーコンディショナに運転指令を送信する。このようにしても、買取価格の高い順にパワーコンディショナを運転させることができる。
【００５５】
上述した実施形態で説明した運転制御装置１０の少なくとも一部は、ハードウェアで構成してもよいし、ソフトウェアで構成してもよい。ソフトウェアで構成する場合には、運転制御装置１０の少なくとも一部の機能を実現するプログラムをフレキシブルディスクやＣＤ−ＲＯＭ等の記録媒体に収納し、コンピュータに読み込ませて実行させてもよい。記録媒体は、磁気ディスクや光ディスク等の着脱可能なものに限定されず、ハードディスク装置やメモリなどの固定型の記録媒体でもよい。
【００５６】
また、運転制御装置１０の少なくとも一部の機能を実現するプログラムを、インターネット等の通信回線（無線通信も含む）を介して頒布してもよい。さらに、同プログラムを暗号化したり、変調をかけたり、圧縮した状態で、インターネット等の有線回線や無線回線を介して、あるいは記録媒体に収納して頒布してもよい。
【００５７】
上記の記載に基づいて、当業者であれば、本発明の追加の効果や種々の変形を想到できるかもしれないが、本発明の態様は、上述した個々の実施形態に限定されるものではない。異なる実施形態にわたる構成要素を適宜組み合わせてもよい。特許請求の範囲に規定された内容及びその均等物から導き出される本発明の概念的な思想と趣旨を逸脱しない範囲で種々の追加、変更及び部分的削除が可能である。
【符号の説明】
【００５８】
１０  運転制御装置
１１  算出部
１２  ソート部
１３  選択部
１４  運転指令部
１５  状態判定部
１６  制御部
２１  通信部
２２  記憶部
Ｇ１〜Ｇ４  太陽光発電グリッド
Ｍ１〜Ｍ４  マイクログリッド
ＰＣ１〜ＰＣ４  パワーコンディショナ
【図１】
0006522487.tif 000002
【図２】
0006522487.tif 000003
【図３】
0006522487.tif 000004
【図４】
0006522487.tif 000005
【図５】
0006522487.tif 000006
【図６】
0006522487.tif 000007
【図７】
0006522487.tif 000008